(57)【要約】      （修正有）【課題】画像検索の正確性を高め、更にユーザニーズをよりよく満たす情報検索方法及び情報検索装置を提供する。【解決手段】情報検索方法は、ユーザが画像検索用の撮影インターフェースに入るとき、前記撮影インターフェースに前記ユーザに案内情報を表示するステップと、前記ユーザが前記案内情報に従って撮影した画像を取得するステップと、前記画像に基づいて検索結果を取得するとともに、前記ユーザに前記検索結果を表示するステップとを含む。【選択図】図１
2016212827.tif 000002
【特許請求の範囲】
【請求項１】
ユーザが画像検索用の撮影インターフェースに入るとき、前記撮影インターフェースに  前記ユーザに案内情報を表示するステップと、
前記ユーザが前記案内情報に従って撮影した画像を取得するステップと、
前記画像に基づいて検索結果を取得するとともに、前記ユーザに前記検索結果を表示するステップとを含む
ことを特徴とする情報検索方法。
【請求項２】
前記案内情報は、撮影する画像のカテゴリ及び前記カテゴリに対応する更なる案内情報の少なくとも一つを含む
ことを特徴とする請求項１に記載の方法。
【請求項３】
前記更なる案内情報は、スクリーン方向の案内情報及びラスタライズの案内情報の少なくとも一つを含む
ことを特徴とする請求項２に記載の方法。
【請求項４】
前記案内情報は、前記撮影する画像のカテゴリ、及び前記カテゴリに対応する更なる案内情報を含む場合、前記ユーザに案内情報を表示するステップは、
前記ユーザに前記撮影する画像のカテゴリを表示するステップと、
前記ユーザが一つの前記カテゴリを選択した後、前記ユーザに前記カテゴリに対応する更なる案内情報を表示するステップとを含む
ことを特徴とする請求項２に記載の方法。
【請求項５】
前記画像に基づいて検索結果を取得するとともに、前記ユーザに前記検索結果を表示するステップは、
前記画像のカテゴリによって、対応するタイプの検索結果を取得するステップと、
前記ユーザに前記対応するタイプの検索結果を表示するステップとを含み、
前記対応するタイプの検索結果は、構造化の記述情報、購買情報、スポットの公式ウェブサイト及びカスタマイズ可能なスポンサードページの少なくとも一つを含む
ことを特徴とする請求項１〜４のいずれか一項に記載の方法。
【請求項６】
ユーザが画像検索用の撮影インターフェースに入るとき、前記撮影インターフェースに前記ユーザに案内情報を表示するように構成された第一表示モジュールと、
前記ユーザが前記案内情報に従って撮影した画像を取得するように構成された取得モジュールと、
前記画像に基づいて検索結果を取得するとともに、前記ユーザに前記検索結果を表示するように構成された第二表示モジュールとを含む
ことを特徴とする情報検索装置。
【請求項７】
前記第一表示モジュールによって表示される前記案内情報は、
撮影する画像のカテゴリ及び前記カテゴリに対応する更なる案内情報の少なくとも一つを含む
ことを特徴とする請求項６に記載の装置。
【請求項８】
前記第一表示モジュールによって表示される前記更なる案内情報は、
スクリーン方向の案内情報及びラスタライズの案内情報の少なくとも一つを含む
ことを特徴とする請求項７に記載の装置。
【請求項９】
前記案内情報は、前記撮影する画像のカテゴリ、及び前記カテゴリに対応する更なる案内情報を含む場合、前記第一表示モジュールは、前記ユーザに前記撮影する画像のカテゴリを表示し、前記ユーザが一つの前記カテゴリを選択した後、前記ユーザに前記カテゴリに対応する更なる案内情報を表示することによって、前記ユーザに前記案内情報を表示するように構成されている
ことを特徴とする請求項７に記載の装置。
【請求項１０】
前記第二表示モジュールは、前記画像のカテゴリによって、対応するタイプの検索結果を取得し、前記ユーザに前記対応するタイプの検索結果を表示するように構成されており、
前記対応するタイプの検索結果は、構造化の記述情報、購買情報、スポットの公式ウェブサイト及びカスタマイズ可能なスポンサードページの少なくとも一つを含む
ことを特徴とする請求項６〜９のいずれか一項に記載の装置。
【発明の詳細な説明】
【技術分野】
【０００１】
本発明は、データ検索技術分野に関し、特に情報検索方法及び情報検索装置に関する。
【背景技術】
【０００２】
モバイルインターネットのすさまじい発展に伴い、人々は検索エンジンを利用する方式も変わってきた。伝統的な文字検索では満足せず、検索形式をより多様化を求めようとする。画像検索がその多様化する検索方式の一つである。
【０００３】
先行技術では、ユーザは画像検索を行うとき、使用する画像が現在撮影した画像である。しかしながら、撮影するとき、撮影レベルや習慣によっては画像の品質も違うため、撮影の品質のせいで、画像検索の正確性正確性がマイナスの影響を受けて、更に検索結果の関連性にも影響され、ユーザニーズを満たせないこともある。
【発明の概要】
【発明が解決しようとする課題】
【０００４】
本発明は少なくともある程度まで先行技術における一つの技術問題を解決することを目的とする。
【０００５】
そのため、本発明は情報検索方法を提供することを一つ目の目的とし、該方法は画像検索の正確性を高めることができるため、ユーザニーズユーザニーズをよりよく満たすことができる。
【０００６】
本発明は情報検索装置を提供することを別の目的とする。
【課題を解決するための手段】
【０００７】
前記目的を達成するために、本発明の第一方面の実施形態による情報検索方法は、ユーザが画像検索用の撮影インターフェースに入るとき、前記撮影インターフェースに前記ユーザに案内情報を表示するステップと、前記ユーザが前記案内情報に従って撮影した画像を取得するステップと、前記画像に基づいて検索結果を取得するとともに、前記ユーザに前記検索結果を表示するステップとを含む。
【０００８】
本発明の第一方面の実施形態による情報検索方法は、撮影インターフェースに案内情報を表示することにより、ユーザにより正確且つ有効な画像を撮影させるように案内し、画像検索結果の正確性を高め、特定カテゴリと一致する検索結果をユーザに返送し、ユーザニーズの満足度を向上させる。
【０００９】
前記目的を達成するために、本発明の第二方面の実施形態による情報検索装置は、ユーザが画像検索用の撮影インターフェースに入るとき、前記撮影インターフェースに前記ユーザに案内情報を表示するように構成された第一表示モジュールと、前記ユーザが前記案内情報に従って撮影した画像を取得するように構成された取得モジュールと、前記画像に基づいて検索結果を取得するとともに、前記ユーザに前記検索結果を表示するように構成された第二表示モジュールとを含む。
【００１０】
本発明の第二方面の実施形態による情報検索装置は、撮影インターフェースに案内情報を表示することにより、ユーザにより正確且つ有効な画像を撮影させるように案内し、画像検索結果の正確性を高め、特定目的と一致する検索結果をユーザに返送し、ユーザニーズの満足度を向上させる。
【００１１】
本発明の付加的方面及びメリットは、以下の説明において部分的に述べられ、この説明から一部は明らかになるか、または、本発明の実施により理解され得る。
【図面の簡単な説明】
【００１２】
本発明の上述及び／或いは付加的方面とメリットは、下記の図面を結合した実施例に対する説明において、明らかになり、理解されることが容易になる。その中で、
【図１】本発明の一実施形態がによる情報検索方法を示すフローチャートである。
【図２】本発明の実施形態によるユーザに案内情報を表示するフローチャートである。
【図３】本発明の実施形態によるカテゴリを表示する図である。
【図４】本発明の実施形態によるスクリーン方向の案内情報を表示する図である。
【図５】本発明の実施形態によるラスタライズの案内情報を表示する図である。
【図６】本発明の別の実施形態による情報検索方法を示すフローチャートである。
【図７】本発明の実施形態による薬品類の画像検索をするときの検索結果を示す図である。
【図８】本発明の実施形態による問題類の画像検索をするときの検索結果を示す図である。
【図９】本発明の実施形態による問題類の画像検索をするときの検索結果を示す図である。
【図１０】本発明の実施形態による服装・バッグ類の画像検索をするときの検索結果を示す図である。
【図１１】本発明の実施形態による服装・バッグ類の画像検索をするときの検索結果を示す図である。
【図１２】本発明の実施形態による植物類の画像検索をするときの検索結果を示す図である。
【図１３】本発明の実施形態による植物類の画像検索をするときの検索結果を示す図である。
【図１４】本発明の別の実施形態による観光スポット類の画像検索をするときの検索結果を示す図である。
【図１５】本発明の別の実施形態による情報検索装置を示すブロック図である。
【発明を実施するための形態】
【００１３】
以下、本発明の実施形態を詳細に説明する。前記実施形態の実例が図面において示されるが、同一の又は類似する符号が相同又は類似の部品又は相同又は類似の機能を有する部品を表す。以下、図面を参照しながら説明する実施形態が例示性のものであり、本発明を一般に理解するために用いられる。実施形態は、本発明を制限するように解釈されてはならない。逆に、本発明の実施形態は添付請求項に含まれる要旨及び内包範囲におけるあらゆる変化・変更及び同等物を含む。
【００１４】
図１は本発明の一実施形態による情報検索方法を示すフローチャートである。該方法はステップＳ１１、ステップＳ１２及びステップＳ１３を含む。
【００１５】
ステップＳ１１において、ユーザが画像検索用の撮影インターフェースに入るとき、前記撮影インターフェースに前記ユーザに案内情報を表示する。
【００１６】
そのうち、ユーザが検索を行うとき、検索ボックスに撮影標識情報（例えばカメラ形式である）を含み、ユーザが該撮影標識情報をクリックすると、画像検索モードを起動し、画像検索用の撮影インターフェースに入ることができる。
【００１７】
画像検索を行うとき、検索用の画像は現在撮影した画像であってもよい。例えばユーザが撮影インターフェースに入った後、該撮影インターフェースを通して現在撮影をすることができる。又は、検索用の画像はユーザが使用しているモバイル端末のアルバムにおける既存の写真であってもよい。例えば、撮影インターフェースにアルバムから写真を選択するためのボタンを含むため、ユーザは当該ボタンを利用してアルバムの中から既存の写真を選択することができる。本実施形態は現在撮影を例とする。
【００１８】
案内情報は、撮影する画像のカテゴリ及び前記カテゴリに対応する更なる案内情報を含むが、これらに限らない。
【００１９】
選択肢として、前記案内情報は、撮影する画像のカテゴリ、及び前記カテゴリに対応する更なる案内情報を含む場合、図２に示したように、前記ユーザに案内情報を表示するステップは、前記ユーザに前記撮影する画像のカテゴリを表示するステップＳ２１と、ユーザが一つのカテゴリを選択した後、前記ユーザに前記カテゴリに対応する更なる案内情報を表示するステップＳ２２とを含む。
【００２０】
例えば、ユーザが撮影インターフェースに入った後、まず、カテゴリを表示し、ユーザが一つのカテゴリを選択した後、更に対応する更なる案内情報を表示する。その中で、ユーザが選択した一つのカテゴリは、具体的に該カテゴリをクリックすることによって確定するものであることができる。
【００２１】
例えば、ユーザが一つのカテゴリを選択した後、対応する更なる案内情報を表示できるように、各カテゴリに対応する更なる案内情報を事前設定しておく。その中で、異なるカテゴリに対応する更なる案内情報は同じでも違っていてもよい。
【００２２】
図３を参照し、ユーザが撮影インターフェースに入った後、撮影インターフェースに案内情報を表示することができる。図３に示したように、案内情報に、撮影インターフェースの下に設置された撮影する画像のカテゴリ３１を含むのを例とする場合、具体的に、カテゴリは薬品、問題、服装・バッグ、植物、観光スポットを含むことが可能である。
【００２３】
ユーザが「薬品」をクリックした後、図４に示したように、表示された案内情報はカテゴリ４１を含むだけでなく、更に対応カテゴリの更なる案内情報を含む。
【００２４】
選択肢として、更なる案内情報は、スクリーン方向の案内情報及びラスタライズの案内情報を含むが、これらに限らない。
【００２５】
そのうち、スクリーン方向の案内情報はユーザに横長又は縦長で撮影させるように指示する。例えば、図４に示したように、更なる案内情報がスクリーン方向の案内情報４２であるのを例とする場合、図４に示したスクリーン方向の案内情報４２が「横長で撮影したほうが画像の品質がよい」である。ユーザに横長モードを利用させるように案内し、画面に含まれる有効な情報をより豊かにさせ、画像処理に便利である。
【００２６】
ラスタライズの案内情報は、ユーザがプリセットボックスに入れる画像内容を指示する。例えば、図５に示したように、更なる案内情報がラスタライズの案内情報５２であるのを例とする場合、プリセットボックスがオレンジボックス５１であり、図５に示したラスタライズの案内情報５２が「薬品の名称をオレンジボックスに入れ、垂直角度で撮影する」である。ユーザに薬品の名称をプリセットボックスに入れさせるように案内し、画像のポイントを捉えられ、ユーザニーズを満たす検索結果を取得することができる。
【００２７】
更なる案内情報を表示するとき、同時表示、若しくは前後表示をすることができる。例えば、図４と図５に示したように、まずスクリーン方向の案内情報を表示し、次にラスタライズの案内情報を表示するのを例とする。
【００２８】
前記案内情報、更なる案内情報、及びカテゴリなどの具体的な内容は上述例示に限らず、必要に応じてその他の内容を設定してもよい。
【００２９】
ステップＳ１２において、前記ユーザが前記案内情報に従って撮影した画像を取得する。
【００３０】
例えば、ユーザは薬品類の画像検索を行うとき、前記案内情報に従って順次にユーザに図３、図４及び図５の撮影インターフェースを表示することができる。図５において、ユーザが撮影インターフェースの撮影ボタンをクリックして、ユーザが使用しているモバイルデバイスのカメラを呼び出して現在撮影した薬品類の画像を取得した後、モバイルデバイスが該薬品類の画像を検索エンジンに送信し結果検索を行う。
【００３１】
ステップＳ１３において、前記画像に基づいて検索結果を取得するとともに、前記ユーザに前記検索結果を表示する。
【００３２】
検索エンジンは、クライアントから送信された画像を受信した後、通常利用する検索方法を利用して検索結果を取得することができる。
【００３３】
そのうち、画像のカテゴリによっては、検索結果のタイプも違う。
【００３４】
選択肢として、図６に示したように、前記画像に基づいて検索結果を取得するとともに、前記ユーザに前記検索結果を表示するステップは、ステップＳ６１と、ステップＳ６２とを含む。
【００３５】
ステップＳ６１において、前記画像のカテゴリによって、対応するタイプの検索結果を取得する。
【００３６】
前記対応するタイプの検索結果は、構造化の記述情報、購買情報、スポットの公式ウェブサイト及びカスタマイズ可能なススポンサードページの少なくとも一つを含む。
【００３７】
その中で、構造化の記述情報は、基本記述情報、百科情報、詳細ページを含むが、これらに限らない。表示形式は文字形式、画像形式、又は文字・画像形式を利用することができる。
【００３８】
購買情報はオフライン店舗の購買情報またはオンライン店舗の購買情報を含むが、これらに限らない。
【００３９】
詳細ページは問題の解答ページまたは商品の詳細ページを含むが、これらに限らない。
【００４０】
カスタマイズ可能なスポンサードページは、例えば商家が百度モバイルプラットフォームにおける公式サービスアカウントである百度直行アカウントであり、モバイル検索、＠アカウント、地図、カスタマイズ推奨等のさまざまな方式に基づいて、多くのお客さんをいつでもどこでも商家のサービスに直行させる。
【００４１】
ステップＳ６２において、前記ユーザに前記対応するタイプの検索結果を表示する。
【００４２】
例えば、図７に示したように、薬品類の画像検索である場合、表示された検索結果は薬品の基本記述情報７１及び購買情報７２を含む。その中で、購買情報はオフライン店舗のアドレス情報又はオンライン購買のリンク情報等を含む。
【００４３】
また、例えば、図８に示したように、問題類の画像検索である場合、表示された検索結果は問題の詳細ページ８１を含み、問題の詳細ページに入った後、図９に示したように、問題の解答９１を表示することもできる。
【００４４】
また、例えば、図１０に示したように、服装・バッグ類の画像検索である場合、表示された検索結果は、購買情報１０１を含み、ユーザがある商品の購買情報をクリックした後、図１１に示したように、対応する商品の商品詳細ページ１１１に入り、ユーザは商品詳細ページにおいてより多くの商品の詳細情報を閲覧することができ、商品詳細ページにおいてショッピングカート追加又はすぐ購入等の操作をすることもできる。
【００４５】
また、例えば、図１２に示したように、植物類の画像検索である場合、表示された検索結果は基本記述情報１２１を含み、また、図１３に示したように、検索結果は植物の百科情報１３１を更に含む。
【００４６】
また、例えば、観光スポット類の画像検索である場合、表示された検索結果は、観光スポットの公式ウェブサイト又はカスタマイズ可能なスポンサードページを含み、ユーザは公式ウェブサイト又はカスタマイズ可能なスポンサードページ等をクリックするとき、図１４に示したようなスポット関連情報１４１を表示することができるため、該スポットの紹介、アクセス情報、チケット情報を取得することができ、更にオンラインでチケットを購入することもできる。
【００４７】
上述図７〜図１４において記載したのは一部の例示のみであり、例示に含まれる具体的な内容を限定しない。例えば、図７において、検索結果は「金▲サン▼子喉宝」に限定せず、また「金▲サン▼子喉宝」に対応する基本記述情報も図７に示した情報を限定しない。
【００４８】
本実施形態によれば、撮影インターフェースに案内情報を表示することにより、ユーザにより正確且つ有効な画像を撮影させるように案内し、画像検索結果の正確性を高め、特定カテゴリと一致する検索結果をユーザに返送し、ユーザニーズの満足度を向上させる。
【００４９】
図１５は、本発明の別の実施形態による情報検索装置を示すブロック図である。当該装置１５０は、第一表示モジュール１５１と、取得モジュール１５２と、第二表示モジュール１５３とを含む。
【００５０】
第一表示モジュール１５１は、ユーザが画像検索用の撮影インターフェースに入るとき、前記撮影インターフェースに前記ユーザに案内情報を表示するように構成されている。
【００５１】
そのうち、ユーザが検索を行うとき、検索ボックスに撮影標識情報（例えばカメラ形式である）を含み、ユーザが該撮影標識情報をクリックすると、画像検索モードを起動し、画像検索用の撮影インターフェースに入ることができる。
【００５２】
画像検索を行うとき、検索用の画像は現在撮影した画像であってもよい。例えばユーザが撮影インターフェースに入った後、該撮影インターフェースを通して現在撮影をすることができる。又は、検索用の画像はユーザが使用しているモバイル端末のアルバムにおける既存の写真であってもよい。例えば、撮影インターフェースにアルバムから写真を選択するためのボタンを含むため、ユーザは当該ボタンを利用してアルバムの中から既存の写真を選択することができる。本実施形態は現在撮影を例とする。
【００５３】
選択肢として、前記第一表示モジュール１５１によって表示される前記案内情報は、撮影する画像のカテゴリ及び前記カテゴリに対応する更なる案内情報の少なくとも一つを含むが、これらに限らない。
【００５４】
選択肢として、前記第一表示モジュール１５１によって表示される前記更なる案内情報は、スクリーン方向の案内情報及びラスタライズの案内情報の少なくとも一つを含む。
【００５５】
選択肢として、前記案内情報が前記撮影する画像のカテゴリ、及び前記カテゴリに対応する更なる案内情報を含む場合、前記第一表示モジュール１５１は、前記ユーザに前記撮影する画像のカテゴリを表示し、前記ユーザが一つの前記カテゴリを選択した後、前記ユーザに前記カテゴリに対応する更なる案内情報を表示することによって、前記ユーザに前記案内情報を表示するように構成されている。
【００５６】
例えば、ユーザが撮影インターフェースに入った後、まず、カテゴリを表示し、ユーザが一つのカテゴリを選択した後、更に対応する更なる案内情報を表示する。その中で、ユーザが選択した一つのカテゴリは、具体的に該カテゴリをクリックすることによって確定するものであることができる。
【００５７】
例えば、ユーザが一つのカテゴリを選択した後、対応する更なる案内情報を表示できるように、各カテゴリに対応する更なる案内情報を事前設定しておく。その中で、異なるカテゴリに対応する更なる案内情報は同じでも違っていてもよい。
【００５８】
図３を参照し、ユーザが撮影インターフェースに入った後、撮影インターフェースに案内情報を表示することができる。図３に示したように、案内情報に、撮影インターフェースの下に設置された撮影する画像のカテゴリ３１を含むのを例とする場合、具体的に、カテゴリは薬品、問題、服装・バッグ、植物、観光スポットを含むことが可能である。
【００５９】
ユーザが「薬品」をクリックした後、図４に示したように、表示された案内情報はカテゴリ４１を含むだけでなく、更に対応カテゴリの更なる案内情報を含む。
【００６０】
そのうち、スクリーン方向の案内情報はユーザに横長又は縦長で撮影させるように指示する。例えば、図４に示したように、更なる案内情報がスクリーン方向の案内情報４２であるのを例とする場合、図４に示したスクリーン方向の案内情報４２が「横長で撮影したほうが画像の品質がよい」である。ユーザに横長モードを利用させるように案内し、画面に含まれる有効な情報をより豊かにさせ、画像処理に便利である。
【００６１】
ラスタライズの案内情報は、ユーザがプリセットボックスに入れる画像内容を指示する。例えば、図５に示したように、更なる案内情報がラスタライズの案内情報５２であるのを例とする場合、プリセットボックスがオレンジボックス５１であり、図５に示したラスタライズの案内情報５２が「薬品の名称をオレンジボックスに入れ、垂直角度で撮影する」である。ユーザに薬品の名称をプリセットボックスに入れさせるように案内し、画像のポイントを捉えられ、ユーザニーズを満たす検索結果を取得することができる。
【００６２】
更なる案内情報を表示するとき、同時表示、若しくは前後表示をすることができる。例えば、図４と図５に示したように、まずスクリーン方向の案内情報を表示し、次にラスタライズの案内情報を表示するのを例とする。
【００６３】
前記案内情報、更なる案内情報、及びカテゴリなどの具体的な内容は上述例示に限らず、必要に応じてその他の内容を設定してもよい。
【００６４】
取得モジュール１５２は、前記ユーザが前記案内情報に従って撮影した画像を取得するように構成されている。
【００６５】
例えば、ユーザは薬品類の画像検索を行うとき、前記案内情報に従って順次にユーザに図３、図４及び図５の撮影インターフェースを表示することができる。図５において、ユーザが撮影インターフェースの撮影ボタンをクリックして、ユーザが使用しているモバイルデバイスのカメラを呼び出して現在撮影した薬品類の画像を取得した後、モバイルデバイスが該薬品類の画像を検索エンジンに送信し結果検索を行う。
【００６６】
第二表示モジュール１５３は、前記画像に基づいて検索結果を取得するとともに、前記ユーザに前記検索結果を表示するように構成されている。
【００６７】
検索エンジンは、クライアントから送信された画像を受信した後、通常利用する検索方法を利用して検索結果を取得することができる。
【００６８】
そのうち、画像のカテゴリによっては、検索結果のタイプも違う。
【００６９】
選択肢として、第二表示モジュール１５３は、具体的には、前記画像のカテゴリによって、対応するタイプの検索結果を取得し、前記ユーザに前記対応するタイプの検索結果を表示するように構成されている。
【００７０】
前記対応するタイプの検索結果は、構造化の記述情報、購買情報、スポットの公式ウェブサイト及びカスタマイズ可能なススポンサードページの少なくとも一つを含む。
【００７１】
その中で、構造化の記述情報は、基本記述情報、百科情報、詳細ページを含むが、これらに限らない。表示形式は、文字形式、画像形式、又は文字・画像形式を利用することができる。
【００７２】
購買情報はオフライン店舗の購買情報またはオンライン店舗の購買情報を含むが、これらに限らない。
【００７３】
詳細ページは問題の解答ページまたは商品の詳細ページを含むが、これらに限らない。
【００７４】
カスタマイズ可能なスポンサードページは、例えば商家が百度モバイルプラットフォームにおける公式サービスアカウントである百度直行アカウントであり、モバイル検索、＠アカウント、地図、カスタマイズ推奨等のさまざまな方式に基づいて、多くのお客さんをいつでもどこでも商家のサービスに直行させる。
【００７５】
また、例えば、図７に示したように、薬品類の画像検索である場合、表示された検索結果は薬品の基本記述情報７１及び購買情報７２を含む。その中で、購買情報はオフライン店舗のアドレス情報又はオンライン購買のリンク情報等を含む。
【００７６】
また、例えば、図８に示したように、問題類の画像検索である場合、表示された検索結果は問題の詳細ページ８１を含み、問題の詳細ページに入った後、図９に示したように、問題の解答９１を表示することもできる。
【００７７】
また、例えば、図１０に示したように、服装・バッグ類の画像検索である場合、表示された検索結果は、購買情報１０１を含み、ユーザがある商品の購買情報をクリックした後、図１１に示したように、対応する商品の商品詳細ページ１１１に入り、ユーザは商品詳細ページにおいてより多くの商品の詳細情報を閲覧することができ、商品詳細ページにおいてショッピングカート追加又はすぐ購入等の操作をすることもできる。
【００７８】
また、例えば、図１２に示したように、植物類の画像検索である場合、表示された検索結果は基本記述情報１２１を含み、また、図１３に示したように、検索結果は植物の百科情報１３１を更に含む。
【００７９】
また、例えば、観光スポット類の画像検索である場合、表示された検索結果は、観光スポットの公式ウェブサイト又はカスタマイズ可能なスポンサードページを含み、ユーザは公式ウェブサイト又はカスタマイズ可能なスポンサードページ等をクリックするとき、図１４に示したようなスポット関連情報１４１を表示することができるため、該スポットの紹介、アクセス情報、チケット情報を取得することができ、更にオンラインでチケットを購入することもできる。
【００８０】
上述図７〜図１４において記載したのは一部の例示のみであり、例示に含まれる具体的な内容を限定しない。例えば、図７において、検索結果は「金▲サン▼子喉宝」に限定せず、また「金▲サン▼子喉宝」に対応する基本記述情報も図７に示した情報を限定しない。
【００８１】
本実施形態によれば、撮影インターフェースに案内情報を表示することにより、ユーザにより正確且つ有効な画像を撮影させるように案内し、画像検索結果の正確性を高め、特定カテゴリと一致する検索結果をユーザに返送し、ユーザニーズの満足度を向上させる。
【００８２】
本発明の説明には、用語「第一」、「第二」等は単に説明のためのみに用いられ、相対的な重要性に明示的にも暗示的にも関連づけられ使用されるものではない。また、本発明の説明には、別途、明確に限定した場合を除き、用語「複数」は二つ又は二つ以上を指す。
【００８３】
フローチャートにおいてまたはここで他の方式で説明された論理またはステップは、一つ又は複数の論理機能又はステップを実現するための実行可能な命令の符号のモジュール、断片又は部分であり、並びに本発明の好ましい実施形態は他の形態も含み、例示された又は議論された順序（関与された機能とほぼ同じ方式又は逆の順序を含む）によらず実行できることは当業者であれば理解すべきである。
【００８４】
本発明の各部分は、ハードウェア、ソフトウエア、ファームウェア、またはそれらの組み合わせで実現することができる。上記実施形態において、複数のステップ又は方法は、メモリに格納され且つ適切な命令実行システムにより実行されるソフトウェアまたはファームウェアで実現することができる。例えば、ハードウェアで実現する場合、他の実施形態と同様に、当該技術分野で公知の以下の技術におけるいずれか１つ又はそれらの組み合わせで実現することができる。データ信号に論理機能を実現するための論理ゲート回路を有するディスクリート論理回路、適切な組み合わせ論理ゲート回路を有する専用集積回路、プログラマブルゲートアレイ（ＰＧＡ）、フィールドプログラマブルゲートアレイ（ＦＰＧＡ）などである。
【００８５】
上述の実施形態を実現する方法が係る全部又は部分のステップはプログラムによって関連するハードウェアに命令を実行して完成でき、前記プログラムはコンピュータの読み取り可能な記憶媒体に記憶され、プログラムを実行するとき、実施形態のステップの一つ又はその組合せを含むことが本技術分野の一般の技術者は理解すべきである。
【００８６】
また、本発明の実施形態に係る各機能ユニットは一つの処理モジュールに集成されてもよいし、各ユニット各自の物理的存在であってもよいし、ソフトウェアによるモジュールを利用してもよい。前記統合されたモジュールはハードウェアを利用してもできるし、ソフトウェアを利用してもできる。前記統合されたモジュールはソフトウェアを利用して独立するプロダクトとして販売又は利用されるとき、コンピュータの読み取り可能な記憶媒体に記憶されてもよい。
【００８７】
前記記憶媒体はＲＯＭ、ディスク又はＣＤ等である。
【００８８】
本明細書の説明において、用語の「一つの実施形態」、「一部の実施形態」、「例示」、「具体的な例示」、又は「一部の例示」等の言葉とは、当該実施形態又は例示と合わせて説明された具体的な特徴、構成、材料又は特性が本発明の少なくとも一つの実施形態又は例示に含まれることを意味する。本明細書において、上記の用語の概略表現は必ずしも同じ実施形態又は例示を指さず、且つ、任意の一つ又は幾つの実施形態や例示において、説明された具体的な特徴、構成、材料又は特性を適当な方法で組み合わせることもできる。
【００８９】
本発明の実施形態を示して説明したが、当業者にとって理解できるのは、本発明の原理と要旨から逸脱しない範囲で、これらの実施形態に対し様々な変更、修正、置換および変形をすることができる。
【図１】
2016212827.tif 000003
【図２】
2016212827.tif 000004
【図６】
2016212827.tif 000005
【図９】
2016212827.tif 000006
【図１５】
2016212827.tif 000007
【図３】
2016212827.tif 000008
【図４】
2016212827.tif 000009
【図５】
2016212827.tif 000010
【図７】
2016212827.tif 000011
【図８】
2016212827.tif 000012
【図１０】
2016212827.tif 000013
【図１１】
2016212827.tif 000014
【図１２】
2016212827.tif 000015
【図１３】
2016212827.tif 000016
【図１４】
2016212827.tif 000017